(57)【特許請求の範囲】
【請求項１】
少なくとも、紙幣を収容するためのスタッカ及び該スタッカに対し紙幣の補充や回収を行うためのカセットを有する紙幣ユニットと、取引時の制御を行う制御部を備え、顧客の操作に基づいて入出金処理を自動的に行う自動取引装置において、
前記制御部は、回収用カセットへの紙幣回収処理で、メカフル状態を検知した場合に、回収用カセット内の紙幣枚数が最大収容枚数未満かどうかを判断することで、損失エリアがカセット内に発生していることを判断し、損失エリアが発生している場合には、リフタ部の上側の紙幣を該リフタ部の下側に落下させ、損失エリアが減少するように補正する制御を行う損失エリア補正制御手段を備えていることを特徴とした自動取引装置。
【請求項２】
少なくとも、紙幣を収容するためのスタッカ及び該スタッカに対し紙幣の補充や回収を行うためのカセットを有する紙幣ユニットと、取引時の制御を行う制御部を備え、顧客の操作に基づいて入出金処理を自動的に行う自動取引装置に、
紙幣の回収時にメカフル状態を検知する手順と、
回収用カセットへの紙幣回収処理で、メカフル状態を検知した場合に、回収用カセット内の紙幣枚数が最大収容枚数未満かどうかを判断することで、損失エリアがカセット内に発生していることを判断し、損失エリアが発生している場合には、リフタ部の上側の紙幣を該リフタ部の下側に落下させ、損失エリアが減少するように補正する制御を行う手順と、
を実行させるためのプログラムを記録したコンピュータ読み取り可能な記録媒体。
【請求項３】
少なくとも、紙幣を収容するためのスタッカ及び該スタッカに対し紙幣の補充や回収を行うためのカセットを有する紙幣ユニットと、取引時の制御を行う制御部を備え、顧客の操作に基づいて入出金処理を自動的に行う自動取引装置に、
紙幣の回収時にメカフル状態を検知する手順と、
回収用カセットへの紙幣回収処理で、メカフル状態を検知した場合に、回収用カセット内の紙幣枚数が最大収容枚数未満かどうかを判断することで、損失エリアがカセット内に発生していることを判断し、損失エリアが発生している場合には、リフタ部の上側の紙幣を該リフタ部の下側に落下させ、損失エリアが減少するように補正する制御を行う手順と、
を実行させるためのプログラム。
【発明の詳細な説明】
【０００１】
【発明の属する技術分野】
本発明は、銀行、その他の金融機関等の店舗に設置され、顧客の操作に基づき入出金等の取引を行うＡＴＭ（Autmatic Tellers Machine）、出金取引を行うＣＤ（Cash Dispencer）等の自動取引装置に利用されるものであり、特に、紙幣（現金）回収時の回収先カセットが満杯になった場合に、カセット内に発生した損失エリアを減少させる制御を行う自動取引装置及び記録媒体及びプログラムに関する。
【０００２】
【従来の技術】
以下、ＡＴＭの例について従来例を説明する。
【０００３】
§１：ＡＴＭの説明
図７は従来のＡＴＭの説明図である。図７に示したように、ＡＴＭには、装置全体の制御を行う制御部２と、該制御部２の制御に基づいて紙幣（現金）の入出金処理を行う紙幣ユニット（紙幣入出金ユニット）３と、係員（或いは保守員）が保守時等に操作する管理操作部１等を備えている。
【０００４】
また、紙幣ユニット３は、紙幣（現金）を補充／回収するための金種別のカセット（現金金庫）７と、各金種の紙幣を収容するための金種別のスタッカ（紙幣収納部）８と、紙幣を鑑別（金種、紙幣の表裏、真偽等の鑑別）する鑑別部６と、入出金紙幣を一時プールしておくバッファプール部５と、紙幣の入出金を行うための入出金部４と、紙幣を搬送するための搬送路９等を備えている。
【０００５】
前記紙幣ユニット３は、制御部２からの指示に基づき次のような紙幣の入出金処理を行う。先ず、カセット７から紙幣を繰り出し、該紙幣を搬送路９上を搬送し、鑑別部６で鑑別した後、鑑別金種により各スタッカ８へ収納して現金を補充しておく。
【０００６】
そして、出金時には、スタッカ８から紙幣を繰り出し、該紙幣を搬送路９上を搬送し、鑑別部６で鑑別後、バッファプール部５へプールし、出金紙幣をまとめて入出金部４へ排出し、紙幣出入口（ＡＴＭの外部へ通じる機構）の紙幣シャッタを開放して顧客に出金する。
【０００７】
一方、入金時は、紙幣出入口の紙幣シャッタを開放して、該紙幣出入口から投入された紙幣を鑑別部６へ送り、鑑別部６で鑑別した後、バッファプール部５から鑑別金種により各スタッカ８へ収納し、入金する。
【０００８】
§２：カセットの適正圧制御の説明
図８はカセットの説明図であり、Ａ図はプレッシャ押し込み状態（超加圧状態）、Ｂ図は除圧状態、Ｃ図は適正圧状態を示す。カセット７は、現金の補充や回収を行うために、ＡＴＭ内の所定位置に脱着自在に取り付けられている。
【０００９】
そして、カセット７には、該カセット７内に収納した紙幣１４に圧力を加えるプレッシャ部１３と、紙幣１４の圧力を調整するための圧抜きベルト１２と、紙幣１４の圧力を検出するための圧センサ１７等が設けてある。この場合、圧抜きベルト１２は、カセット７内で、積み上げられた紙幣１４の両側に設けられ、図示しない駆動機構（モータ、歯車等の機構）により回転駆動されるようになっている。
【００１０】
また、プレッシャ部１３も前記駆動機構によりカセット７内で上下方向に駆動されるようになっている。そして、圧抜きベルト１２とプレッシャ部１３は連動して動作するようになっている。
【００１１】
図８のＡ図では、プレッシャ部１３により紙幣１４を上側からカセット７の底方向に向けて押し込んでおり、超加圧状態となっている。この時、紙幣１４を押し込む圧力は圧センサ１７により検知しており、その検知信号が制御部２へ送られている。そして、制御部２により次の制御が行われる。
【００１２】
前記のような超加圧状態から除圧動作を開始すると図８のＢ図の除圧状態となる。この時、前記駆動機構によりプレッシャ部１３と圧抜きベルト１２が駆動され、プレッシャ部１３はカセット７の上方向へ上昇し、圧抜きベルト１２は紙幣１４をカセット７の上方向へ持ち上げるように回転する。
【００１３】
すなわち、紙幣１４の枚数が多い場合、圧抜きベルト１２が届く範囲の紙幣１４を、該圧抜きベルト１２により紙幣１４の両側を挟み込んで持ち上げ、更にその上の紙幣１４を押し上げるように持ち上げる。この時、圧センサ１７により紙幣１４にかかる圧力を検知し、制御部２へ検知信号を送る（圧抜けを検知して停止する）。そして、制御部２により次の制御が行われる。
【００１４】
図８のＣ図のように、プレッシャ部１３により再度の加圧動作が行われる。この時、紙幣１４の枚数が多ければ、圧抜きベルト１２が届く範囲の紙幣１４が押し下げられ、更に、紙幣１４の自重が重なり、上昇分より少ない移動量で圧センサ１７により圧を検知する（圧検知で停止する）。そして、結果として、紙幣１４の間隔及びプレッシャ部１３と紙幣１４の間隔（損失エリアに相当する間隔）が広がる。このようにして適正圧状態となる。この場合、紙幣１４の枚数が多ければ、特に損失エリアが大となるが、紙幣１４の枚数が少なくても前記損失は存在する。
【００１５】
§３：回収時におけるフル制御の説明
図９は従来の紙幣回収時の説明図であり、Ａ図は状態１、Ｂ図は状態２、Ｃ図は状態３、Ｄ図は状態４を示す。以下、図９に基づいて回収時におけるフル制御を説明する。
【００１６】
前記のように、カセット７には、該カセット７内に収納した紙幣に圧力を加えるプレッシャ部１３と、紙幣の圧力を調整するための圧抜きベルト１２と、紙幣の圧力を検出するための圧センサ１７等が設けてある。また、カセット７内には、該カセット７の上部に設けられた紙幣の収納口から収納した紙幣を収納しておくリフタ部１１が設けてある。この場合、リフタ部１１の上に収納した紙幣を収納紙幣として図示してあり、通常の場合、リフタ部１１上には２００枚の紙幣を収納する容量がある。
【００１７】
このリフタ部１１は外部の駆動機構により駆動され、通常時は水平方向に位置しており、リフタ部１１の上に載せた紙幣を下側へ落下させる場合は、該リフタ部１１を下方へ開いて紙幣を下方向へ落下できるようになっている。なお、カセット７の底部に積み上げられた紙幣は、カセット内計数済の紙幣として図示してある。紙幣回収時の制御は次の通りである。
【００１８】
図９のＡ図は状態１であり、初期動作を示す。この初期動作では、プレッシャ部１３によりカセット内計数済紙幣を最大圧までプレスした後、プレッシャ部１３を上昇させると、圧抜きベルト１２が連動し、最下部の紙幣を持ち上げてプレッシャ部１３の下側の紙幣の圧を検知する圧センサ１７が適正圧を検知する。
【００１９】
図９のＢ図は状態２であり、紙幣をスタッカ８から繰り出し、カセット７のリフタ部１１の上側に収納させた状態である。この場合、例えば、紙幣を２００枚回収して一旦動作を停止する。なお、大量紙幣を積載しているリフタ部１１でのニアフルチェックは動作が不安定になる。
【００２０】
図９のＣ図は状態３であり、プレッシャ部１３を上昇させてカセット内計数済紙幣からリフタ部１１までの距離（この距離をＸとする）を測定している状態（フルチェック動作をしている）である。この時、次の回収開始のためにプレッシャ部１３を下降させ、適正圧に戻すが、連動する圧抜きベルト１２が加圧方向に動作し、かつ紙幣の自重も加わり、早めに適正圧を検知して元のプレッシャ部１３の位置に戻らず、徐々に損失エリアが拡大し、フルまで、図９のＢ図の状態とＣ図の状態を繰り返して行う。
【００２１】
前記のようにして、図９のＢ図の動作とＣ図の動作を繰り返す内に、徐々にプレッシャ部１３の位置が上昇し、損失エリアを生み出してフルを検知して処理が終了する（図９のＤ図参照）。なお、カセット内計数済紙幣とリフタ部１１との間の距離をＸとし、リフタ部１１の上側に収納可能な収納紙幣の厚み（最大値）をＬとした場合、Ｘ＜Ｌならば、「フル」、Ｘ≧Ｌならば、「ニアフル」という。
【００２２】
この場合、通常は、Ｌ＝２００枚であり、前記「フル」の状態ではリフタ部１１の下側に２００枚未満の紙幣しか入らず、「ニアフル」の状態ならば、リフタ部１１の下側に２００枚以上の紙幣が収納可能（１回分は入る）である。
【００２３】
§４：フローチャートによる回収時のフル制御の説明
図１０は従来の紙幣回収時の処理フローチャートである。以下、図１０に基づいて、従来の紙幣回収時の処理を説明する。なお、Ｓ１〜Ｓ７は各処理ステップを示す。この処理では、管理操作部１の操作により、係員が紙幣の回収枚数を指示しておき、この指示に基づいて、制御部２の制御により紙幣ユニット３内で紙幣の回収処理（紙幣の締め上げ回収処理、すなわち、精査）を行う。
【００２４】
紙幣の回収処理を開始すると（Ｓ１）、先ず、回収用のカセット７を施錠（自動的に施錠）し（Ｓ２）、回収用のカセット７内の紙幣の計数を開始する。この処理では、前記カセット７から紙幣を繰り出し、鑑別部６で鑑別後、前記カセット７へ収納する。この時、リフタ部１１の下側に紙幣を収納する（Ｓ３）。
【００２５】
この時、制御部２は、圧センサ１７からの検知信号を基に回収用のカセット７がフルを検知したかどうかを判断し（Ｓ４）、フルを検知していない場合は、スタッカ８より回収用のカセット７に紙幣を回収する。この時、２００枚回収したら一旦回収動作を停止し、プレッシャ部１３を上昇させてカセット７内の計数済紙幣からリフタ部１１までの距離Ｘを測定し、その後、プレッシャ部１３を適正圧まで下降させる（Ｓ５）。
【００２６】
次に、制御部２は、スタッカ８よりカセット７へ紙幣の回収が終了したかどうかを判断し（Ｓ６）、紙幣の回収が終了していなければ、前記Ｓ４の処理から繰り返して行う。また、前記Ｓ４の処理で、回収用のカセット７のフルを検知した場合、及び前記Ｓ６の処理でスタッカ８よりカセット７へ紙幣の回収が終了している場合には、回収用のカセット７を解錠し（Ｓ７）、この処理を終了する。
【００２７】
【発明が解決しようとする課題】
前記のような従来のものにおいては、次のような課題があった。
【００２８】
前記ＡＴＭにおいて、現金の締め上げ回収時に回収先のカセット７がメカフルを検知した場合は処理を中断し、係員に回収先フルが発生したこと、及び回収先カセット７を空のものに交換することを知らせるメッセージを管理操作部１の画面（係員モニタ画面）に表示している。
【００２９】
現行のメカでは、カセット７の紙幣繰り出し圧力設定に関する制御において、加圧／除圧の移動量に差があり、プレッシャ部１３と該プレッシャ部１３の下側に収納された紙幣（カセット内計数済紙幣）との間に空間が発生する場合がある。この空間が損失エリアとなっているにも関わらずカセット７のメカフルを検知してしまい、回収処理が終了してしまうケースがある。
【００３０】
従って、前記カセット内の損失エリアが有効に利用できず、カセットへの紙幣収納枚数が少なくなる。そのため、カセットの交換作業も多くなり、その分、係員の手作業が増加していた。
【００３１】
本発明は、このような従来の課題を解決し、カセット内に発生する損失エリア（損失空間）の補正処理を行うことで、実質的に回収する紙幣の枚数を増やし、係員の手作業を軽減することを目的とする。
【００３２】
【課題を解決するための手段】
図１は本発明の原理説明図であり、Ａ図は状態１、Ｂ図は状態２、Ｃ図は状態３、Ｄ図は状態４を示す。また、図１において、７はカセット、１１はリフタ部、１３はプレッシャ部を示す。本発明は前記の目的を達成するため、次のように構成した。
【００３３】
(1) ：少なくとも、紙幣を収容するためのスタッカ及び該スタッカに対し紙幣の補充や回収を行うためのカセット７を有する紙幣ユニットと、取引時の制御を行う制御部を備え、顧客の操作に基づいて入出金処理を自動的に行う自動取引装置において、前記制御部は、カセット７への紙幣回収処理で、メカフル状態を検知した場合に、カセット７内の紙幣枚数が最大収容枚数未満かどうかを判断することで、損失エリアがカセット７内に発生していることを判断し、損失エリアが発生している場合には、リフタ部１１の上側の紙幣を該リフタ部１１の下側に落下させ、損失エリアが減少するように補正する制御を行う損失エリア補正制御手段を備えている。
【００３４】
(2) ：少なくとも、紙幣を収容するためのスタッカ及び該スタッカに対し紙幣の補充や回収を行うためのカセット７を有する紙幣ユニットと、取引時の制御を行う制御部を備え、顧客の操作に基づいて入出金処理を自動的に行う自動取引装置に、紙幣の回収時にメカフル状態を検知する手順と、カセット７への紙幣回収処理で、メカフル状態を検知した場合に、カセット７内の紙幣枚数が最大収容枚数未満かどうかを判断することで、損失エリアがカセット７内に発生していることを判断し、損失エリアが発生している場合には、リフタ部１１の上側の紙幣を該リフタ部１１の下側に落下させ、損失エリアが減少するように補正する制御を行う手順とを実行させるためのプログラムを記録したコンピュータ読み取り可能な記録媒体。
【００３５】
(3) ：少なくとも、紙幣を収容するためのスタッカ及び該スタッカに対し紙幣の補充や回収を行うためのカセット７を有する紙幣ユニットと、取引時の制御を行う制御部を備え、顧客の操作に基づいて入出金処理を自動的に行う自動取引装置に、紙幣の回収時にメカフル状態を検知する手順と、カセット７への紙幣回収処理で、メカフル状態を検知した場合に、回収用カセット内の紙幣枚数が最大収容枚数未満かどうかを判断することで、損失エリアがカセット７内に発生していることを判断し、損失エリアが発生している場合には、リフタ部１１の上側の紙幣を該リフタ部１１の下側に落下させ、損失エリアが減少するように補正する制御を行う手順とを実行させるためのプログラム。
【００３６】
（作用）
前記構成に基づく本発明の作用を、図１に基づいて説明する。
【００３７】
(a) ：状態１（図１のＡ図参照）
従来の紙幣回収処理と同様にして、スタッカからカセット７へ紙幣の回収を行ない、カセット７のリフタ部１１の上側に紙幣を収納する。この時、所定枚数の紙幣を回収するとメカフルを検知するが、次の処理へ移行させる。この場合、スタッカからの紙幣の回収枚数が多いと、最終的にリフタ部１１の上部の紙幣をメカフルとして検知した際、一旦紙幣の回収処理を終了するため、徐々に損失エリアが増えてしまう。従来は、ここで、メカフル検知したカセットを交換（空のカセットを再セット）するようメッセージを係員操作画面に表示し、係員にカセット交換を促していた。
【００３８】
(b) ：状態２（図１のＢ図参照）
しかし、本発明では、この時点で回収用カセット７内の現状紙幣枚数をチェック（メカフルか否かをチェック）し、メカフル検知にて回収処理を終了したと判断した場合には、新たな処置として、リフタ部１１の上側にある紙幣（収納した紙幣）を、リフタ部１１の下部に落下させる。この処理によりカセット７内の損失エリアを減少するように補正する。
【００３９】
(c) ：状態３（図１のＣ図参照）
前記損失エリアの補正処理により、カセット７内の回収可能な空きスペースができるため、紙幣の回収処理を再開する。このため、従来より回収可能な紙幣の枚数が増加する。
【００４０】
(d) ：状態４（図１のＤ図参照）
その後、従来の紙幣回収処理と同様にして、スタッカからカセット７へ紙幣の回収を行ない、カセット７のリフタ部１１の上側に紙幣を収納する。この時、所定枚数の紙幣を回収するとメカフルを検知するので、この時点で回収処理を終了する。
【００４１】
このようにすれば、カセット７内に発生する損失エリア（損失空間）の補正処理を行うことで、実質的に回収する紙幣の枚数を増やし、係員の手作業を軽減することができる。
【００４２】
【発明の実施の形態】
以下、本発明の実施の形態を図面に基づいて詳細に説明する。なお、以下の例は、自動取引装置をＡＴＭに適用した例である。
【００４３】
§１：ＡＴＭの説明
図２はＡＴＭのブロック図である。図２に示したように、ＡＴＭには、装置全体の制御を行う制御部２と、顧客が取引時の操作を行う顧客操作部２１と、ＤＯＣ（Document Output Card Reader Writer Unit ）系ユニット２２と、制御部２の制御に基づいて紙幣（現金）の入出金処理を行う紙幣ユニット３と、各種プログラムや、その他のデータを格納しておくハードディスク装置２３と、フロッピィディスクドライブ（ＦＤＤ）２４と、係員（或いは保守員）が保守時等に操作する管理操作部１と、装置内の各部に電源を供給する電源部２５等を備えている。
【００４４】
そして、制御部２には、各種制御を行うＣＰＵ３５と、該ＣＰＵ３５がアクセスするメモリ３６と、入出力機器の制御を行うＩ／Ｏ制御部３７が設けてある。また、前記顧客操作部２１には、カラーディスプレイ３１と、タッチパネル３２が設けてあり、前記ＤＯＣ系ユニット２２には、カード（キャッシュカード）の処理を行うカードユニット３３と、取引用通帳の処理を行う通帳ユニット３４が設けてあり、前記管理操作部１には、液晶ディスプレイ３８と、係員（或いは保守員）が保守時等に操作するキーボード３９が設けてある。
【００４５】
また、前記制御部２には、通信回線を介して遠隔地にあるセンタ又はターミナルコントローラ２６と通信したり、或いは、遠隔地にある遠隔監視制御装置２７と通信する機能を備えている。
【００４６】
§２：紙幣ユニットの説明
図３は紙幣ニットのブロック図である。紙幣ユニット（紙幣入出金ユニット）３は、紙幣（現金）を補充／回収するための金種別のカセット（Ｒカセット及びＦカセット）７と、各金種の紙幣を収容するための金種別のスタッカ（Ｒスタッカ及びＦスタッカ）８と、紙幣を鑑別（金種、紙幣の表裏、真偽等の鑑別）する鑑別部６と、入出金紙幣を一時プールしておくバッファプール部４１と、紙幣の入出金を行うための入出金部４と、取り忘れ紙幣を格納しておく取り忘れ部４２と、紙幣を搬送するための搬送路９等を備えている。
【００４７】
また、紙幣ユニット３には、前記各機構部を制御するための紙幣ユニット制御部４３を備えており、前記制御部２からの指示に基づいて紙幣の入出金処理時の制御を行うように構成されている。この場合、紙幣ユニット制御部４３は、常に紙幣ユニット３内の在高、金種毎の紙幣枚数等を、紙幣ユニット３内のメモリ（図示省略）に格納して管理している。
【００４８】
紙幣ユニット３の動作概要は次の通りである。前記構成の紙幣ユニット３は、制御部２からの指示に基づき、紙幣ユニット制御部４３が各機構部の駆動制御を行うことで、次のような紙幣の入出金処理を行う。先ず、カセット７（Ｒカセット又はＦカセット）から紙幣を繰り出し、該紙幣は搬送路９上を搬送し、鑑別部６で鑑別した後、鑑別金種により各スタッカ（Ｒスタッカ又はＦスタッカ）８へ収納して現金を補充しておく。
【００４９】
そして、出金時には、各スタッカ８から紙幣を繰り出し、該紙幣は搬送路９上を搬送し、鑑別部６で鑑別後、バッファプール部４１へ一時プールし、出金紙幣をまとめて入出金部４へ排出し、前記紙幣出入口の紙幣シャッタを開放して顧客に出金する。
【００５０】
一方、入金時は、紙幣出入口の紙幣シャッタ（図示省略）を開放して、該紙幣出入口から投入された紙幣を鑑別部６へ送り、鑑別部６で鑑別した後、表裏ターン部（図示省略）を介しバッファプール部４１から、鑑別金種により各スタッカ８へ収納し、入金する。
【００５１】
§３：紙幣回収時の説明・・・図４参照
図４は紙幣回収時の説明図であり、Ａ図は状態１、Ｂ図は状態２、Ｃ図は状態３、Ｄ図は状態４を示す。締め上げ回収処理でのカセットフル（メカフル検知）による紙幣の再回収処理は次のようにして行う。
【００５２】
▲１▼：ＡＴＭにて装置内の紙幣在高を確定するため、締め上げ回収（精査）処理を実施する。この場合、起動方法としては、係員操作画面から手操作、又はアプリケーションプログラムからの電文依頼を用いる。
【００５３】
▲２▼：締め上げ回収では、先ず現在装着されているカセット７の紙幣の計数処理を実施する。すなわち、カセット７内のリフタ部１１の上下の紙幣を計数し、最終的にはリフタ部１１の下部に収納する。
【００５４】
▲３▼：その後、スタッカ８から前記▲２▼で計数したカセット７に紙幣を回収する。そして、回収された紙幣は、カセット７内のリフタ部１１の上側に収納する。
【００５５】
▲４▼：前記▲３▼の紙幣回収では、２００枚の紙幣を回収すると、一旦回収処理を停止し、プレッシャ部１３を上昇してリフタ部１１とカセット内計数済の紙幣との間の距離Ｘを計測し、フルチェック（メカフルかどうかのチェック）を行う。
【００５６】
次に、プレッシャ部１３を下降させて、計数済紙幣の圧を適正圧にするが、プレッシャ部１３の下降は、紙幣の自重により早めに停止してしまう。そのため、プレッシャ部１３が徐々に上昇する。この時、若干ではあるが、損失エリアが発生する。
【００５７】
この場合、リフタ部１１を下降させてフルチェックすることも可能であるが、大量の紙幣を積載しているため、動作が不安定になる。そのため、身軽なプレッシャ部１３で行う方が良い。
【００５８】
▲５▼：スタッカ８からの紙幣の回収枚数が多い場合、前記Ｃ、Ｄの動作が複数回実行されると、最終的にリフタ部１１の上部の紙幣が上端検知（カセットフル検知）し、回収処理は終了する。このため、徐々に損失エリアが増えてしまう。特に、▲２▼で計数した紙幣枚数が５００〜１０００枚で損失エリアが大きくなる（図４のＡ図の状態１参照）。
【００５９】
▲６▼：従来は、ここで、メカフル検知したカセット７を交換（空のカセットを再セット）するようメッセージを係員操作画面に表示し、係員（又は行員）にカセット７の交換を促していた（前記▲１▼にて、係員操作画面から手操作により処理依頼時）。
【００６０】
▲７▼：しかし、本発明では、この時点で回収用のカセット７内の現状紙幣枚数をチェック（メカフルか否かをチェック）する。また、メカフル検知にて回収処理を終了したと判断した場合には、新たな処置として、カセット７のリフタ部１１の上側にある紙幣をリフタ部１１の下側に落下させる。この処理により、前記▲３▼〜▲５▼にて生じたカセット７内の損失エリアを減少させるように補正する（図４のＢ図の状態２参照）。
【００６１】
▲８▼：前記▲７▼の処理により、カセット７内に紙幣を回収可能な空きスペースができるため、制御部２に対し、再度紙幣の回収処理を依頼し（図４のＣ図の状態３参照）、紙幣の回収処理を再開する。このようにすれば、従来より回収可能な紙幣の枚数が増加する。
【００６２】
▲９▼：その後、回収すべき紙幣がスタッカ８に存在しなくなると、締め上げ回収処理は終了する（図４のＤ図の状態４参照）。
【００６３】
なお、回収途中に再度カセットフルになった場合は、従来の処理と同じ前記▲６▼の処理を実施する。また、カセットフルでのリトライ処理は１回のみ実施する。２回目以降は実施しても良いが、すでにかなりの枚数が収納されているので、大きな損失エリアは発生しない。
【００６４】
§４：フローチャートによる紙幣回収時の処理説明
図５は紙幣回収時の処理フローチャート（その１）、図６は紙幣回収時の処理フローチャート（その２）である。以下、図５、図６に基づいて紙幣回収時の処理を説明する。なお、Ｓ１１〜Ｓ２３は各処理ステップを示す。この処理では、管理操作部１の操作により、係員が紙幣の回収枚数を指示しておき、この指示に基づいて、制御部２の制御により紙幣ユニット３内で紙幣の回収処理（紙幣の締め上げ回収処理、すなわち、精査を行う。
【００６５】
紙幣の回収処理を開始すると（Ｓ１１）、先ず、回収用のカセット７を施錠し（Ｓ１２）、回収用のカセット７内の紙幣の計数を開始する。この処理では、前記カセット７から紙幣を繰り出し、鑑別部６で鑑別後、前記カセット７へ収納する。この時、リフタ部１１の下側に紙幣を収納する（Ｓ１３）。
【００６６】
この時、制御部２は、圧センサ１７からの検知信号を基に、回収用のカセット７がフルを検知したかどうかを判断し（Ｓ１４）、フルを検知していない場合は、スタッカ８より回収用のカセット７に紙幣を回収する。この場合、２００枚回収したら一旦回収動作を停止し、プレッシャ部１３を上昇させてカセット７内の計数済紙幣からリフタ部１１までの距離Ｘを測定し、その後、プレッシャ部１３を適正圧まで下降させる（Ｓ１５）。
【００６７】
次に、制御部２は、スタッカ８よりカセット７へ紙幣の回収が終了したかどうかを判断し（Ｓ１６）、紙幣の回収が終了していなければ、前記Ｓ１４の処理から繰り返して行う。前記Ｓ１６の処理でスタッカ８よりカセット７へ紙幣の回収が終了している場合には、回収用のカセット７を解錠し（Ｓ１７）、この処理を終了する。
【００６８】
また、前記Ｓ１４の処理で、回収用のカセット７のフルを検知した場合、制御部２は、回収用のカセット７内の紙幣枚数が最大収容枚数（例えば、２０００枚）未満かどうかを判断し（Ｓ１８）、最大収容枚数未満でなければ、前記Ｓ１７の処理へ移行する。
【００６９】
しかし、前記最大収容枚数未満であれば、制御部２の制御により、リフタ部１１の上側の紙幣を該リフタ部１１の下側に落下させ、損失エリアが減少するように補正する（Ｓ１９）。そして、再度、紙幣の回収処理を実施する（Ｓ２０）。
【００７０】
この再度の紙幣の回収処理では、スタッカ８より回収用のカセット７に紙幣を回収する（Ｓ２１）。この場合、２００枚回収で一旦処理を停止し、プレッシャ部１３を上昇させ、その後、プレッシャ部１３を適正圧まで下降させる。次に、制御部２は、スタッカ８よりカセット７へ紙幣の回収が終了したかどうかを判断し（Ｓ２２）、終了していなければ、回収用カセット７のフル検知かどうかを判断する（Ｓ２３）。
【００７１】
その結果、回収用カセット７のフル検知でなければ、Ｓ２１の処理から繰り返して行う。また、前記２２の処理で、スタッカ８よりカセット７へ紙幣の回収が終了した場合、及び前記Ｓ２３の処理で、回収用カセット７のフル検知をした場合は、前記Ｓ１７の処理へ移行する。
【００７２】
【発明の効果】
以上説明したように、本発明によれば次のような効果がある。
【００７３】
(1) ：メカ検知したカセットフル状態を解除して損失エリアの補正を行うことで、回収可能な紙幣の枚数を増加させることができる。すなわち、カセット内に発生する損失エリア（損失空間）が減少するように補正処理を行うことで、実質的に回収する紙幣の枚数を増やし、カセットを交換するなどの係員の手作業を軽減することができる。
【００７４】
(2) ：前記損失エリアの補正処理により、カセット内の損失エリアが減少するので、係員の管理操作部でのオペレーション回数を低減でき、係員への負担が少なくなる。
【図面の簡単な説明】
【図１】本発明の原理説明図である。
【図２】本発明の実施の形態におけるＡＴＭのブロック図である。
【図３】本発明の実施の形態における紙幣ユニットのブロック図である。
【図４】本発明の実施の形態における紙幣回収時の説明図である。
【図５】本発明の実施の形態における紙幣回収時の処理フローチャート（その１）である。
【図６】本発明の実施の形態における紙幣回収時の処理フローチャート（その２）である。
【図７】従来のＡＴＭの説明図である。
【図８】カセットの説明図である。
【図９】従来の紙幣回収時の説明図である。
【図１０】従来の紙幣回収時の処理フローチャートである。
【符号の説明】
１  管理操作部
２  制御部
３  紙幣ユニット
４  入出金部
５  バッファプール部
６  鑑別部
７  カセット
８  スタッカ
９  搬送路
１１  リフタ部
１２  圧抜きベルト
１３  プレッシャ部
１４  紙幣
１７  圧センサ
２１  顧客操作部
２２  ＤＯＣ系ユニット
２３  ハードディスク装置
２４  フロッピィディスクドライブ（ＦＤＤ）
２５  電源部
２６  センタ又はターミナルコントローラ
２７  遠隔監視制御装置
３１  カラーディスプレイ
３２  タッチパネル
３３  カードユニット
３４  通帳ユニット
３５  ＣＰＵ（中央処理装置）
３６  メモリ
３７  Ｉ／Ｏ制御部（入出力制御部）
３８  液晶ディスプレイ
４１  バッファプール部
４２  取り忘れ部
４３  紙幣ユニット制御部
【図１】
0004718689.tif 000002
【図２】
0004718689.tif 000003
【図３】
0004718689.tif 000004
【図４】
0004718689.tif 000005
【図５】
0004718689.tif 000006
【図６】
0004718689.tif 000007
【図７】
0004718689.tif 000008
【図８】
0004718689.tif 000009
【図９】
0004718689.tif 000010
【図１０】
0004718689.tif 000011